(57)【要約】  【課題】遊技機の筐体においてシリンダ錠を保持できるようにすることで、交換作業等に際しての利便性を向上させること。  【解決手段】シリンダ保持具１によれば、取付部材１０により筐体内に取り付けておくことにより、保持部材３０における筒状部分にシリンダ錠を通して保持させることができる。これにより、交換用のシリンダ錠をあらかじめ保持した状態で筐体内に格納しておくことができ、また、交換作業に際して交換前後のシリンダ錠を一時的に保持させておくことで置き場所などに注意する必要もなくなる。【選択図】図２
2012100934.tif 000002
【特許請求の範囲】
【請求項１】
遊技機の筐体内に取り付けられた状態で、前記筐体を施錠するためのシリンダ錠を、該シリンダ錠の交換に際して保持させるためのシリンダ保持具であって、
当該シリンダ保持具を前記筐体内に取り付けるための取付面を有する取付部材と、
前記取付部材における取付面から離れる方向に突出する突出部材と、
前記突出部材の先端側から前記取付面に沿って延びる筒状の部材であり、該筒状の一端側から他端側に向けて前記シリンダ錠を通すことにより該シリンダ錠を保持する保持部材と、
前記保持部材における筒状の内周面に沿って配置され、該内周面と前記シリンダ錠の外周面との間に介在した状態で弾性変形することにより、前記保持部材に対する前記シリンダ錠の位置を維持する維持部材と、を備えている
ことを特徴とするシリンダ保持具。
【請求項２】
前記維持部材には、前記保持部材に前記シリンダ錠を通す方向に沿って延びるスリットが形成されている
ことを特徴とする請求項１に記載のシリンダ保持具。
【請求項３】
前記維持部材は、前記保持部材に前記シリンダ錠を通す方向と交差する平面へ当該シリンダ保持具を投影した場合に、前記保持部材における筒状の内周面のうち、前記突出部材が設けられている領域と対向する領域に前記スリットが形成されている
ことを特徴とする請求項２に記載のシリンダ保持具。
【発明の詳細な説明】
【技術分野】
【０００１】
本発明は、遊技機の筐体内において、この筐体を施錠するためのシリンダ錠を、交換用として保持させておく、または、一時的に保持させるためのシリンダ保持具に関する。
【背景技術】
【０００２】
従来、遊技機の筐体には、施錠するためのシリンダ錠が設けられており、このシリンダ錠により、筐体の開閉を防止すべく施錠するように構成されていることが一般的である（例えば、特許文献１参照）。
【先行技術文献】
【特許文献】
【０００３】
【特許文献１】特開２００４−２５０８８２号公報
【発明の概要】
【発明が解決しようとする課題】
【０００４】
しかし、従来の筐体には、シリンダ錠を保持しておく場所がないため、交換用のシリンダ錠があったとしても、別の場所に格納しておく必要があり、また、交換作業に際して交換前後のシリンダ錠の取扱に注意が必要であった。
【０００５】
本発明は、このような課題を解決するためになされたものであり、その目的は、遊技機の筐体においてシリンダ錠を保持できるようにすることで、交換作業等に際しての利便性を向上させることである。
【課題を解決するための手段】
【０００６】
上記課題を解決するため第１の構成（請求項１）は、遊技機の筐体内に取り付けられた状態で、前記筐体を施錠するためのシリンダ錠を、該シリンダ錠の交換に際して保持させるためのシリンダ保持具である。
【０００７】
このシリンダ保持具は、当該シリンダ保持具を前記筐体内に取り付けるための取付面を有する取付部材と、前記取付部材における取付面から離れる方向に突出する突出部材と、前記突出部材の先端側から前記取付面に沿って延びる筒状の部材であり、該筒状の一端側から他端側に向けて前記シリンダ錠を通すことにより該シリンダ錠を保持する保持部材と、前記保持部材における筒状の内周面に沿って配置され、該内周面と前記シリンダ錠の外周面との間に介在した状態で弾性変形することにより、前記保持部材に対する前記シリンダ錠の位置を維持する維持部材と、を備えている。
【０００８】
このように構成されたシリンダ保持具によれば、取付部材により筐体内に取り付けておくことにより、保持部材における筒状部分にシリンダ錠を通して保持させることができる。これにより、交換用のシリンダ錠をあらかじめ保持した状態で筐体内に格納しておくことができ、また、交換作業に際して交換前後のシリンダ錠を一時的に保持させておくことで置き場所などに注意する必要もなくなる。
【０００９】
この構成においては、以下に示す第２の構成（請求項２）のようにするとよい。
第２の構成において、前記維持部材には、前記保持部材に前記シリンダ錠を通す方向に沿って延びるスリットが形成されている。
【００１０】
この構成であれば、保持部材にシリンダ錠を通す過程で、維持部材がスリットに向けて弾性変形しやすくなるため、保持部材にシリンダ錠を通す際の抵抗をスリットの幅に応じて小さくすることができる。
【００１１】
この構成においては、以下に示す第３の構成（請求項３）のようにするとよい。
第３の構成において、前記維持部材は、前記保持部材に前記シリンダ錠を通す方向と交差する平面へ当該シリンダ保持具を投影した場合に、前記保持部材における筒状の内周面のうち、前記突出部材が設けられている領域と対向する領域に前記スリットが形成されている。
【００１２】
この構成であれば、維持部材には、突起部材が設けられている領域と対向する領域にスリットが設けられているため、突起部材が設けられている領域から離れる方向に傾けた状態で、保持部材にシリンダ錠を通し始めることができる。
【図面の簡単な説明】
【００１３】
【図１】シリンダ保持具および係止具の斜視図を示す図面である。
【図２】シリンダ保持具にシリンダ錠を保持させる過程を示す図である。
【図３】シリンダ保持具の三面図を示す図面である。
【図４】係止具の三面図を示す図面である。
【発明を実施するための形態】
【００１４】
以下に本発明の実施形態を図面と共に説明する。
シリンダ保持具１は、遊技機の筐体内に取り付けられた状態で、筐体を施錠するためのシリンダ錠を、このシリンダ錠の交換に際して一時的または長期的に保持させるためのものであって、図１の斜視図および図２の三面図に示すように、シリンダ保持具１を筐体内に取り付けるための取付面を有する取付部材１０と、取付部材１０における取付面から離れる方向に突出する突出部材２０と、突出部材２０の先端側に設けられた筒状の保持部材３０と、保持部材３０における筒状の内周面に沿って配置された維持部材４０と、を備えている。
【００１５】
これらのうち、突出部材２０は、取付部材１０における間隔をあけた２箇所それぞれから突出している。
また、保持部材３０は、図３の斜視図で示されるように、筒状の一端側から他端側に向けてシリンダ錠２００を通すことによりシリンダ錠２００を保持する。
【００１６】
また、維持部材４０は、保持部材３０における筒状の内周面とシリンダ錠の外周面との間に介在した状態で弾性変形することにより、保持部材３０に対するシリンダ錠の位置を維持する。
【００１７】
さらに、維持部材４０には、図２の三面図で示されるように、保持部材３０にシリンダ錠を通す方向に沿って延びるスリット４２が形成されている。このスリット４２は、保持部材３０にシリンダ錠を通す方向と交差する平面へ当該シリンダ保持具１を投影した場合に、保持部材３０における筒状の内周面のうち、突出部材２０が設けられている領域と対向する領域に形成されている。
【００１８】
上記構成のシリンダ保持具１は、筐体内に取り付けられたフック状の係止具１００に引っ掛けることで筐体内に着脱自在に取り付けられる。この係止具１００は、フックが下方に開口しない向きであれば、どのような向きで取り付けられていてもよいことはいうまでもない（図１はフックが上方に開口している）。なお、図４に係止具１００の三面図を示す。
【００１９】
このように構成されたシリンダ保持具１によれば、取付部材１０により筐体内に取り付けておくことにより、保持部材３０における筒状部分にシリンダ錠を通して保持させることができる。これにより、交換用のシリンダ錠をあらかじめ保持した状態で筐体内に格納しておくことができ、また、交換作業に際して交換前後のシリンダ錠を一時的に保持させておくことで置き場所などに注意する必要もなくなる。
【００２０】
また、上記構成では、保持部材３０にシリンダ錠を通す過程で、維持部材４０がスリット４２に向けて弾性変形しやすくなるため、保持部材３０にシリンダ錠を通す際の抵抗をスリット４２の幅に応じて小さくすることができる。
【００２１】
また、維持部材４０には、突起部材２０が設けられている領域と対向する領域にスリット４２が設けられているため、突起部材２０が設けられている領域から離れる方向に傾けた状態で、保持部材３０にシリンダ錠を通し始めることができる。
【符号の説明】
【００２２】
１…シリンダ保持具、１０…取付部材、２０…突出部材、３０…保持部材、４０…維持部材、４２…スリット、１００…係止具、２００…シリンダ錠。
【図１】
2012100934.tif 000003
【図２】
2012100934.tif 000004
【図３】
2012100934.tif 000005
【図４】
2012100934.tif 000006